(57)【要約】      （修正有）【課題】火災感知器から中継器に信号を送信する際の通信エラーの発生を抑制しつつ、消費電力を抑えることができる電子機器を提供する。【解決手段】感知器線を介して感知器４に接続される中継器２は、第１の大きさの第１電流を感知器４に供給する第１伝送用電源２４と、第１の大きさよりも大きい第２の大きさの第２電流を感知器４に供給する第２伝送用電源２５と、感知器４から受信する信号の種別に基づいて、第１伝送用電源２４に第１電流を供給させるか、第２伝送用電源２５に第２電流を供給させるかを切り替えるモード切替部２６と、を有する。【選択図】図５
2020123279.tif 000002
【特許請求の範囲】
【請求項１】
信号線を介して火災感知器に接続される電子機器であって、
第１の大きさの第１電流を前記火災感知器に供給する第１電流供給部と、
前記第１の大きさよりも大きい第２の大きさの第２電流を前記火災感知器に供給する第２電流供給部と、
前記火災感知器から受信する信号の種別に基づいて、前記第１電流供給部に前記第１電流を供給させるか、前記第２電流供給部に前記第２電流を供給させるかを切り替える切替部と、
を有する電子機器。
【請求項２】
前記火災感知器から受信したデータの誤り率又は前記火災感知器から受信した信号の波形に基づいて前記信号線における伝送品質を評価する評価部をさらに有し、
前記切替部は、前記評価部が評価した前記伝送品質により前記信号の種別を特定することにより、前記第１電流供給部に前記第１電流を供給させるか、前記第２電流供給部に前記第２電流を供給させるかを切り替える、
請求項１に記載の電子機器。
【請求項３】
前記信号線に接続された終端器の種別を示す終端器情報を取得する種別情報取得部をさらに有し、
前記切替部は、前記種別情報取得部が取得した前記終端器情報に基づいて、前記第１電流供給部に前記第１電流を供給させるか、前記第２電流供給部に前記第２電流を供給させるかを切り替える、
請求項１に記載の電子機器。
【発明の詳細な説明】
【技術分野】
【０００１】
本発明は、火災感知器に電流を供給する電子機器に関する。
【背景技術】
【０００２】
従来、火災感知システムにおいて、中継器と複数の火災感知器との間で各種の信号を送受信することが知られている（例えば、特許文献１参照）。特許文献１に記載された火災感知システムにおける火災感知器は、中継器からコマンド信号を受信したことに応じて、コマンド応答信号を電流信号として送出する。
【先行技術文献】
【特許文献】
【０００３】
【特許文献１】特許第４６８３４７４号公報
【発明の概要】
【発明が解決しようとする課題】
【０００４】
中継器と複数の火災感知器との間で送受信される信号が伝送される感知器線には、感知器線の断線を検出するための終端器が設けられている。終端器には、抵抗が内蔵された抵抗型終端器と、コンデンサが内蔵された容量型終端器とがある。感知器線に容量型終端器が接続されている場合、容量型終端器に内蔵されたコンデンサの影響により、中継器や火災感知器が送信する波形が鈍化する。その結果、火災感知器が送信した信号を中継器が正常に受信できない通信エラーが発生する場合がある。
【０００５】
火災感知器が信号を送信する際に中継器が供給する電流の量を増やすことで波形の鈍化を抑制することができるが、感知器線に抵抗型終端器が接続されている場合に、抵抗型終端器に内蔵された抵抗により消費される電流が増加してしまうという問題があった。
【０００６】
そこで、本発明はこれらの点に鑑みてなされたものであり、火災感知器から中継器に信号を送信する際の通信エラーの発生を抑制しつつ、消費電力を抑えることができる電子機器を提供することを目的とする。
【課題を解決するための手段】
【０００７】
本発明の電子機器は、信号線を介して火災感知器に接続される電子機器である。当該電子機器は、第１の大きさの第１電流を前記火災感知器に供給する第１電流供給部と、前記第１の大きさよりも大きい第２の大きさの第２電流を前記火災感知器に供給する第２電流供給部と、前記火災感知器から受信する信号の種別に基づいて、前記第１電流供給部に前記第１電流を供給させるか、前記第２電流供給部に前記第２電流を供給させるかを切り替える切替部と、を有する。
【０００８】
前記電子機器は、前記火災感知器から受信したデータの誤り率又は前記火災感知器から受信した信号の波形に基づいて前記信号線における伝送品質を評価する評価部をさらに有し、前記切替部は、前記評価部が評価した前記伝送品質により前記信号の種別を特定することにより、前記第１電流供給部に前記第１電流を供給させるか、前記第２電流供給部に前記第２電流を供給させるかを切り替えてもよい。
【０００９】
前記電子機器は、前記信号線に接続された終端器の種別を示す終端器情報を取得する種別情報取得部をさらに有し、前記切替部は、前記種別情報取得部が取得した前記終端器情報に基づいて、前記第１電流供給部に前記第１電流を供給させるか、前記第２電流供給部に前記第２電流を供給させるかを切り替えてもよい。
【発明の効果】
【００１０】
本発明によれば、火災感知器から中継器に信号を送信する際の通信エラーの発生を抑制しつつ、消費電力を抑えることができるという効果を奏する。
【図面の簡単な説明】
【００１１】
【図１】火災感知システムの構成を示す図である。
【図２】中継器が感知器に各種の信号を送信するタイミングについて説明するための図である。
【図３】感知器線の状態を例示するための模式図である。
【図４】感知器線で伝送される信号の波形を示す図である。
【図５】中継器の構成を示す図である。
【図６】感知器の構成を示す図である。
【図７】中継器の変形例の構成を示す図である。
【発明を実施するための形態】
【００１２】
［火災感知システムＳの概要］
図１は、本実施形態に係る火災感知システムＳの構成を示す図である。火災感知システムＳは、火災受信機１と、中継器２と、中継器２を収容する中継盤３と、複数の感知器４と、終端器５とを備える。
【００１３】
伝送線Ｌ１は、火災受信機１と複数の中継器２とを接続する信号線である。感知器線Ｌ２は、中継器２と感知器４との間で信号が伝送される信号線である。中継器２は、感知器線Ｌ２を介して火災感知器に接続される電子機器であり、感知器４が火災を感知したことを中継して火災受信機１に通知する。
【００１４】
火災受信機１は、伝送線Ｌ１を介して複数の中継器２と接続されている。火災受信機１は、例えば３秒周期で複数の中継器２に順次ポーリングをして、中継器２から情報を収集する。火災受信機１は、中継器２を介して１以上の感知器４の少なくともいずれかが火災を感知したことを特定すると、火災の発生を通報する。火災受信機１は、例えば警備員又は施設管理者に火災の発生を通知するべくランプを点灯させたり、音を発生させたりすることにより火災の発生を通報する。警備員又は施設管理者は、火災受信機１の通知を認識することができる任意の人を含む。
【００１５】
複数の中継器２のそれぞれは、伝送線Ｌ１を介して火災受信機１と接続されている。また、複数の中継器２のそれぞれは、感知器線Ｌ２を介して１以上の感知器４と接続されている。中継器２は、火災受信機１からポーリングを受けたことに応じて、火災受信機１に通知する情報を送信する。中継器２は、通常は、例えば１６ビット幅のデータを送信し、感知器４のアドレスを含む情報を送信する場合には、通常よりも多いビット幅（例えば６４ビット幅）のデータを送信する。
【００１６】
感知器４は、例えば熱又は煙により火災を感知する火災感知器であり、それぞれの感知器４には、感知器４を識別するアドレスが予め割り当てられている。感知器４は、火災を感知すると、感知器線Ｌ２の電位を変化させることにより、火災を感知したことを中継器２に通知する。その後、感知器４は、中継器２から火災の発生を確認するための火災確認信号を受信すると、感知器４のアドレスに割り当てられた期間に、火災を感知したことを示す火災確認応答信号を中継器２に送信する。
【００１７】
終端器５は、感知器線Ｌ２の断線を検出するために用いられる終端抵抗又は終端コンデンサを有する。感知器線Ｌ２に終端器５が接続されていることにより、中継器２は感知器４が接続されているか否かによらず感知器線Ｌ２の断線を検出することができる。以下の説明において、終端抵抗が内蔵された終端器５を抵抗型終端器５ａ、コンデンサが内蔵された終端器を容量型終端器５ｂということがある。
【００１８】
［中継器２と感知器４との間での信号伝送］
図２は、中継器２が感知器４に各種の信号を送信するタイミングについて説明するための図である。図２における水平方向は時刻に対応している。
【００１９】
図２に示すように、複数の中継器２のそれぞれが少なくとも一部の信号を送受信する期間は、中継器２のアドレスに関連付けて定められている。図２に示す例において、Ｓ１は中継器２−１に対応する期間であり、Ｓ２は中継器２−２に対応する期間であり、Ｓｎ（ｎは自然数）は、中継器２−ｎに対応する期間である。中継器２は、内部のタイマを用いて、火災受信機１から受信した基準タイミングからの経過時間を特定し、特定した経過時間に基づいて、自身のアドレスに対応する期間が到来したか否かを判定する。中継器２は、自身のアドレスに対応する期間が到来したと判定した場合に、自身が接続された感知器線Ｌ２に接続されている感知器４のアドレスを確認するための接続確認信号を送信する。
【００２０】
中継器２のそれぞれに割り当てられている期間には、接続確認期間（Ｃ）、試験確認期間（Ｔ）、及び火災確認期間（Ｆ）の３つの期間が含まれている。接続確認期間は、感知器４が感知器線Ｌ２に接続されているかどうかを確認するための期間である。試験確認期間は、感知器４が正常に動作しているかどうかを試験した結果を確認するための期間である。火災確認期間は、いずれかの感知器４が火災を感知した場合に、どの感知器４が火災を感知したかを確認するための期間である。
【００２１】
接続確認期間には、当該期間が割り当てられた中継器２が接続確認信号を送信可能な第１期間（例えば図２におけるＣ１１）、及び当該接続確認信号に対する応答である接続確認応答信号を感知器４が送信可能な第２期間（例えば図２におけるＣ１２）が含まれている。第２期間は、中継器２が接続可能な感知器４の数に対応する、感知器４のアドレスに関連付けられた複数のサブ期間に分けられている。接続確認信号を受信した感知器４のそれぞれは、自身のアドレスに対応するサブ期間に、接続確認信号に対する接続確認応答信号を送信する。接続確認応答信号は、所定の論理値のデータであり、例えば「０」である。
【００２２】
中継器２は、接続確認応答信号を送信した感知器４のアドレスを記憶する。また、中継器２は、例えば火災受信機１からポーリングを受けたことに応じて、新たに接続された感知器４、又は接続されていない状態に変化した感知器４（すなわち脱落した感知器４）のアドレスを含む接続確認報告を火災受信機１に送信する。
【００２３】
火災確認期間には、中継器２が火災確認信号を送信可能な火災確認期間（例えば図２におけるＦ１１）、及び当該火災確認信号に対する応答である火災確認応答信号を感知器４が送信可能な第６期間（例えば図２におけるＦ１２）が含まれている。第５期間は、感知器線の電圧が、感知器線に接続された感知器４のいずれかが火災を感知したことを示す電圧になったことに応じて、火災を感知した感知器４を特定するための火災確認信号を中継器２が送信するための期間である。
【００２４】
火災確認信号を受信した感知器４のうち、火災を感知している感知器４は、火災確認信号を受信した直後の第６期間における自身のアドレスに対応するサブ期間に火災確認応答信号を送信する。感知器４は、例えば、予め火災を感知したことを示すフラグを記憶しておき、火災確認信号を受信した時点で当該フラグが火災を感知したことを示している場合に、火災確認応答信号を送信する。中継器２は、例えば火災受信機１からポーリングを受けたことに応じて、火災を感知した感知器４のアドレスを含む火災確認報告を火災受信機１に送信する。
【００２５】
試験確認期間には、中継器２が試験確認信号を送信可能な第３期間（例えば図２におけるＴ１１）、及び当該試験確認信号に対する応答である試験確認応答信号を感知器４が送信可能な第４期間（例えば図２におけるＴ１２）が含まれている。試験確認期間は、中継器２が火災受信機１から自動試験を実行する指示を受信したことに応じて、中継器２が感知器４に対して試験確認信号を送信し、感知器４から試験結果を受信するための期間である。本実施の形態の第３期間においては、火災受信機１から自動試験の指示を受信した任意の中継器２が試験確認信号を送信することが想定されている。
【００２６】
試験確認信号を受信した感知器４のそれぞれは、試験確認信号を受信した直後の第４期間における自身のアドレスに対応するサブ期間に試験確認応答信号を送信する。感知器４は、例えば、予め試験を実施した結果を記憶しておき、記憶しておいた試験結果を送信する。
【００２７】
中継器２は、試験確認信号を送信した後に受信した試験確認応答信号に基づいて、受信した試験結果が良好でない感知器４のアドレスを特定する。具体的には、中継器２は、接続確認応答信号を受信済の感知器４のうち、良好でない試験結果を送信した感知器４、及び試験確認応答信号が送信されない感知器４に問題があると判定する。中継器２は、問題があると判定した感知器４のアドレスを特定し、特定したアドレスを含む試験結果報告を火災受信機１に送信する。中継器２は、例えば火災受信機１からポーリングを受けたことに応じて試験結果報告を火災受信機１に送信する。
【００２８】
ところで、第１期間〜第６期間のそれぞれの長さが０．５秒である場合、第１期間から第６期間までの合計時間は３秒となる。中継器２が２５５台ある場合、全ての中継器２が接続確認信号を送信して感知器４の接続状態を確認するまでに、３秒×２５５台＝７６５秒（１２分４５秒）を要する。中継器２が火災受信機１から試験指示を受信した時点で、接続確認信号を用いて感知器線に接続された感知器４のアドレスの確認が終了していないと、中継器２は、感知器線Ｌ２にどの感知器４が接続されているかを認識できない。したがって、中継器２は、試験確認信号を送信しても、感知器４が正常であるか否かを判定することができない。そこで、中継器２は、接続確認信号を送信する前に火災受信機１から試験指示を受信した場合に、自身に割り当てられた第１期間以外の期間において接続確認信号を送信する。
【００２９】
［監視モードと伝送モード］
図３は、感知器線Ｌ２の状態を例示するための模式図である。感知器線Ｌ２の状態は、火災を監視する監視モードで動作する期間と、中継器２と感知器４との間で信号を送受信する伝送モードで動作する期間とで異なっている。
【００３０】
監視モードにおける火災が感知されていない期間（通常の監視時）においては、感知器線Ｌ２の電圧が例えば２４Ｖに設定されている。この状態で感知器４が火災を感知すると、感知器４がインピーダンスを低下させることにより感知器線Ｌ２の電圧が、火災検出レベル（図３においては６Ｖ）よりも小さくなる。中継器２は、感知器線Ｌ２の電圧が火災検出レベルよりも小さくなったことを検出すると、火災を検出したことを火災受信機１に通知する。
【００３１】
伝送モードは、中継器２が接続確認信号、試験確認信号、又は火災確認信号を送信し、感知器４がこれらの確認信号に対する応答信号を送信する期間である。伝送モードにおいては、中継器２と感知器４との間で、通常監視時の感知器線Ｌ２の電圧レベルと、火災検出レベルとの間の電圧（図３においては１２Ｖ）を最大振幅レベルとする信号が送受信される。中継器２は、例えば、感知器線Ｌ２の電圧が火災検出レベルよりも小さくなったことを検出すると、火災を感知した感知器４を特定するために伝送モードに切り替える。中継器２は、信号の送受信が終了すると、伝送モードから監視モードに切り替える。
【００３２】
火災感知システムＳにおいては、図２を参照しながら説明したように、複数の感知器４が時分割で各種の信号を中継器２に送信するので、１台の感知器４が信号を送信することができる時間が限られている。このような場合、信号のパルス幅に制約があり、感知器線Ｌ２に容量型終端器５ｂが接続されていると、信号波形の鈍化の影響が特に大きくなる。
【００３３】
図４は、感知器線Ｌ２で伝送される信号の波形を示す図である。図４（ａ）は、終端器５として抵抗型終端器５ａが接続されており、感知器線Ｌ２の容量が無視できる程度の大きさである場合の伝送波形を模式的に示しており、図４（ｂ）は、終端器５として容量型終端器５ｂが接続されている場合の伝送波形を模式的に示している。
【００３４】
図４（ｂ）に示すように、終端器５として容量型終端器５ｂが接続されている場合には、伝送波形が鈍化し、電圧の最大値が低下している。中継器２が送信又は受信した信号の値を判定する際の閾値が例えば６Ｖに設定されていると、図４（ｂ）に示す波形の信号を受信した中継器２は、本来はハイレベルの信号であるにもかかわらずロウレベルの信号であると誤判定してしまう場合が生じ得る。
【００３５】
そこで、中継器２は、例えば図４（ｂ）に示すように伝送品質が低下している場合、又は伝送品質が低下するおそれがある場合に、感知器線Ｌ２を介して感知器４に供給する電流を増やすことで、図４（ｃ）に示すように、受信する信号レベルが閾値以上になるようにする。以下、中継器２及び感知器４の構成の詳細を説明する。
【００３６】
［中継器２の構成］
図５は、本実施形態に係る中継器２の構成を示す図である。中継器２は、第１通信部２１と、第２通信部２２と、火災感知用電源２３と、第１伝送用電源２４と、第２伝送用電源２５と、モード切替部２６と、記憶部２７と、制御部２８とを備える。制御部２８は、タイミング生成部２８１と、指示処理部２８２と、接続確認処理部２８３と、試験処理部２８４と、火災確認処理部２８５と、伝送品質評価部２８６と、を有する。
【００３７】
第１通信部２１は、伝送線Ｌ１を介して火災受信機１と通信を行うための通信インターフェースである。
第２通信部２２は、感知器線Ｌ２に所定の電圧を印加するとともに、感知器線Ｌ２を介して感知器４に各種の信号を送信するための回路である。
【００３８】
火災感知用電源２３、第１伝送用電源２４及び第２伝送用電源２５はモード切替部２６に接続されている。火災感知用電源２３は、感知器４が火災を感知したことを中継器２に通報するために用いる電圧（例えば２４Ｖ）を発生する電源である。
【００３９】
第１伝送用電源２４は、第１の大きさの第１電流を感知器４に供給する第１電流供給部である。第１伝送用電源２４は、中継器２が感知器４に各種の信号を送信するために用いる電圧（例えば１２Ｖ）を発生する。第１伝送用電源２４の電流容量は例えば１００ｍＡである。
【００４０】
第２伝送用電源２５は、第１伝送用電源２４が供給可能な第１の大きさよりも大きい第２の大きさの第２電流を感知器４に供給する第２電流供給部である。第２伝送用電源２５は、中継器２が感知器４に各種の信号を送信するために用いる電圧（例えば１２Ｖ）を発生する。第２伝送用電源２５の電流容量は、第１伝送用電源２４の電流容量よりも大きく、例えば２００ｍＡである。
【００４１】
モード切替部２６は、第２通信部２２を介して、火災感知用電源２３が発生した電圧、第１伝送用電源２４が発生した電圧、又は第２伝送用電源２５が発生した電圧を感知器線Ｌ２に印加する。モード切替部２６は、監視モードにおいて、火災感知用電源２３から感知器４に電流を供給し、伝送モードにおいて、第１伝送用電源２４又は第２伝送用電源２５から感知器４に電流を供給する。モード切替部２６は、例えば感知器４が火災を感知し、感知器線Ｌ２の電圧が閾値（例えば６Ｖ）以下に低下した場合に、火災感知用電源２３が感知器４に電流を供給する状態から、第１伝送用電源２４又は第２伝送用電源２５が電流を感知器４に供給する状態に切り替える。
【００４２】
モード切替部２６は、感知器４から受信する信号の種別に基づいて、第１伝送用電源２４に第１電流を供給させるか、第２伝送用電源２５に第２電流を供給させるかを切り替える。信号の種別は、終端器５として抵抗型終端器５ａが感知器線Ｌ２に接続されている場合に伝送される第１種信号、又は終端器５として容量型終端器５ｂが感知器線Ｌ２に接続されている場合に伝送される第２種信号である。
【００４３】
モード切替部２６は、終端器５として抵抗型終端器５ａが接続されており、感知器４から受信する信号が第１種信号である場合に第１伝送用電源２４を感知器線Ｌ２に接続し、第１伝送用電源２４から感知器４に電流を供給させる。一方、モード切替部２６は、終端器５として容量型終端器５ｂが接続されており、感知器４から受信する信号が第２種信号である場合に、第２伝送用電源２５から感知器４に電流を供給させる。
【００４４】
モード切替部２６は、例えば伝送品質評価部２８６からの指示に基づいて、第１伝送用電源２４と第２伝送用電源２５とを切り替える。具体的には、モード切替部２６は、伝送品質評価部２８６が評価した伝送品質により信号の種別を特定することにより、第１伝送用電源２４に第１電流を供給させるか、第２伝送用電源２５に第２電流を供給させるかを切り替える。例えば、モード切替部２６は、伝送品質が基準レベルよりも高い場合に、第１種信号が伝送されていると判定して第１伝送用電源２４に第１電流を供給させ、伝送品質が基準レベルよりも低い場合に、第２種信号が伝送されていると判定して第２伝送用電源２５に第２電流を供給させる。伝送品質評価部２８６の動作の詳細については後述する。
【００４５】
記憶部２７は、ＲＯＭ（Read Only Memory）、ＲＡＭ（Random Access Memory）及びハードディスク等の記憶媒体を含む。記憶部２７は、制御部２８が実行するプログラムを記憶する。また、記憶部２７は、感知器線Ｌ２を介して接続された１以上の感知器４のアドレスに関連付けて、感知器４の状態を記憶する。記憶部２７は、例えば、感知器４の接続状態、感知器４の試験結果、及び感知器４が火災を感知したか否か等の状態を記憶する。
【００４６】
制御部２８は、例えばＣＰＵ（Central Processing Unit）を有する。制御部２８は、記憶部２７に記憶されたプログラムを実行することにより、タイミング生成部２８１、指示処理部２８２、接続確認処理部２８３、試験処理部２８４、火災確認処理部２８５、及び伝送品質評価部２８６として機能する。
【００４７】
タイミング生成部２８１は、接続確認信号、試験確認信号、及び火災確認信号を送信するタイミングを示すタイミング信号を生成する。タイミング生成部２８１は、例えば、火災受信機１から受信した基準信号を起点からの経過時間に基づいて、接続確認信号を送信する第１期間、接続確認応答信号を受信する第２期間、試験確認信号を送信する第３期間、試験確認応答信号を受信する第４期間、火災確認信号を送信する第５期間、及び火災確認応答信号を受信する第６期間を示すタイミング信号を生成する。
【００４８】
タイミング生成部２８１は、指示処理部２８２からの指示を受けたことを条件として、第３タイミング信号〜第６タイミング信号のいずれかを接続確認処理部２８３、試験処理部２８４及び火災確認処理部２８５のいずれかに入力してもよい。例えば、接続確認処理部２８３が接続確認信号を送信する前に指示処理部２８２が試験指示を受けた場合、指示処理部２８２は、第３タイミング信号を接続確認処理部２８３に入力するようにタイミング生成部２８１に指示する。この場合、タイミング生成部２８１が第３タイミング信号を接続確認処理部２８３に入力する。その結果、接続確認処理部２８３は、自身のアドレスに対応する第１期間よりも前に接続確認信号を送信することができる。
【００４９】
指示処理部２８２は、火災受信機１から自動試験を実施する指示を受信したことを特定すると、試験確認信号を送信するように試験処理部２８４に指示する。指示処理部２８２は、試験処理部２８４を介して感知器４の試験結果を取得すると、取得した試験結果を火災受信機１に送信する。
【００５０】
指示処理部２８２は、火災受信機から試験指示を受信する指示受信部として機能する。指示処理部２８２は、例えば、火災受信機１からポーリングを受けたことに応じて、試験結果を火災受信機１に送信する。
【００５１】
接続確認処理部２８３は、予め中継器２に割り当てられた接続確認期間において、感知器４が中継器２と通信可能な状態で感知器線Ｌ２に接続されていることを確認するために用いられる接続確認信号を感知器線Ｌ２に送信する。接続確認処理部２８３は、タイミング生成部２８１から入力された第１タイミング信号が示す第１期間に接続確認信号を感知器線Ｌ２に送信する。また、接続確認処理部２８３は、接続確認信号を送信した後の第２期間に接続確認応答信号を受信すると、タイミング生成部２８１から入力された第２タイミング信号の立ち上がりタイミングからの経過時間に基づいて、接続確認応答信号を送信した感知器４のアドレスを特定する。接続確認処理部２８３は、接続確認応答信号を送信した感知器４のアドレスを記憶部２７に記憶させる。
【００５２】
接続確認処理部２８３は、接続確認処理部２８３が接続確認信号を送信する前に指示処理部２８２が試験指示を受信した場合に、中継器２に接続されている感知器線Ｌ２に、自身に割り当てられている接続確認期間よりも前の代替期間において接続確認信号を送信する。具体的には、接続確認処理部２８３は、他の中継器２に割り当てられた接続確認期間と異なる代替期間において接続確認信号を送信する。接続確認処理部２８３は、例えば試験処理部２８４が試験確認信号を送信することが可能な試験確認期間を代替期間として接続確認信号を送信する。接続確認処理部２８３は、他の複数の中継器２に割り当てられた複数の接続確認期間の間の期間を代替期間として接続確認信号を送信してもよく、例えば、火災確認期間に接続確認信号や試験確認信号を送信してもよい。
【００５３】
試験処理部２８４は、指示処理部２８２が試験指示を受信したことに応じて、中継器２に接続されている感知器４に、試験結果を送信することを要求する試験確認信号を送信する。試験処理部２８４は、タイミング生成部２８１から入力された第３タイミング信号が示すいずれかの第３期間に試験確認信号を感知器線Ｌ２に送信する。また、試験処理部２８４は、試験確認信号を送信した後の第４期間に試験確認応答信号を受信すると、タイミング生成部２８１から入力された第４タイミング信号の立ち上がりタイミングからの経過時間に基づいて、試験確認応答信号を送信した感知器４のアドレスを特定する。試験処理部２８４は、感知器４のアドレス及び試験結果を関連付けて指示処理部２８２に通知する。試験処理部２８４は、試験確認応答信号を送信した感知器４のアドレスに関連付けて、試験確認応答信号が示す試験結果を記憶部２７に記憶させてもよい。
【００５４】
火災確認処理部２８５は、感知器線Ｌ２の電圧の変化に基づいて、感知器線Ｌ２を介して接続されたいずれかの感知器４が火災を感知したことを検出すると、タイミング生成部２８１から入力された第５タイミング信号が示すいずれかの第５期間に火災確認信号を感知器線Ｌ２に送信する。また、火災確認処理部２８５は、火災確認信号を送信した後の第６期間に火災確認応答信号を受信すると、タイミング生成部２８１から入力された第６タイミング信号の立ち上がりタイミングからの経過時間に基づいて、火災確認応答信号を送信した感知器４のアドレスを特定する。火災確認処理部２８５は、感知器４のアドレス及び試験結果を関連付けて指示処理部２８２に通知する。火災確認処理部２８５は、火災確認応答信号を送信した感知器４のアドレスに関連付けて、火災確認応答信号が示す火災発生状況を記憶部２７に記憶させてもよい。
【００５５】
伝送品質評価部２８６は、感知器４から受信したデータの誤り率又は感知器４から受信した信号の波形に基づいて感知器線Ｌ２における伝送品質を評価する。伝送品質評価部２８６は、例えば、感知器４から受信したデータに含まれている誤り検出用データ（例えばパリティーデータ）に基づいてデータ誤り率を特定し、データ誤り率が閾値未満である場合に、伝送品質が良いと判定する。伝送品質評価部２８６は、データ誤り率が閾値以上である場合に、伝送品質が悪いと判定する。
【００５６】
伝送品質評価部２８６は、感知器４から受信した信号の電圧レベルを判定閾値と比較し、電圧レベルが閾値以上である場合に信号波形が良好であり伝送品質が良いと判定し、電圧レベルが閾値未満である場合に信号波形が良好ではなく伝送品質が悪いと判定してもよい。伝送品質評価部２８６は、感知器４から受信した信号に含まれている周波数成分の分布に基づいて信号波形を特定し、閾値よりも低い周波数の成分の割合が閾値以上である場合に信号波形が鈍化しており伝送品質が悪いと判定してもよい。伝送品質評価部２８６は、伝送品質が良いと判定した場合に、第１伝送用電源２４に電流を供給させることをモード切替部２６に指示し、伝送品質が悪いと判定した場合に、第２伝送用電源２５に電流を供給させることをモード切替部２６に指示する。
【００５７】
［感知器４の構成］
続いて、感知器４の構成について説明する。図６は、本実施形態に係る感知器４の構成を示す図である。感知器４は、通信部４１と、火災検出部４２と、記憶部４３と、制御部４４とを備える。制御部４４は、信号送受信部４４１及びタイミング生成部４４２を有する。
【００５８】
通信部４１は、感知器線Ｌ２を介して中継器２と通信を行う通信インターフェースである。通信部４１は、火災検出部４２が火災を検出した場合に感知器線Ｌ２の電圧を低下させる。また、通信部４１は、中継器２に対して応答信号を送信する場合に、感知器４に割り当てられた期間に応答信号を送信する。通信部４１は、例えば矩形波の応答信号を送信する。
【００５９】
火災検出部４２は、火災の発生を感知する熱センサー又は煙センサー等のデバイスを有する。火災検出部４２は、火災の発生を感知した場合に、火災の発生を感知したことを示す信号を通信部４１に通知する。
【００６０】
記憶部４３は、ＲＯＭやＲＡＭ等の記憶媒体を含む。記憶部４３は、アドレス設定器（例えばコンピュータ）により設定される感知器４のアドレスを記憶する。また、記憶部４３は、感知器４が中継器２と通信を行う期間を規定する設定情報を記憶する。
【００６１】
制御部４４は、例えば制御回路又はＣＰＵを有しており、信号送受信部４４１及びタイミング生成部４４２として機能する。信号送受信部４４１は、中継器２から接続確認信号を受信すると、接続確認信号を送信した中継器２に応答信号を送信する応答信号送信部として機能する。信号送受信部４４１は、中継器２から送信される接続確認信号、試験確認信号及び火災確認信号を受信し、これらの信号に対する応答信号を送信する。
タイミング生成部４４２は、中継器２から接続確認信号、試験確認信号又は火災確認信号を受信したタイミングと、記憶部４３に記憶されたアドレスに基づいて、これらの信号に対する応答信号を送信する期間を決定する。
【００６２】
［第１変形例］
図７は、中継器２の変形例の構成を示す図である。図７に示す中継器２は、図５に示した中継器２における伝送品質評価部２８６に代えて種別情報取得部２８７を有する。種別情報取得部２８７は、感知器線Ｌ２に接続された終端器５の種別を示す終端器情報を取得する。終端器情報は、終端器５が抵抗型終端器５ａであるか容量型終端器５ｂであるかを示す情報である。種別情報取得部２８７は、例えば、火災受信機１において施設管理者が設定した終端器情報を、伝送線Ｌ１及び第１通信部２１を介して取得する。種別情報取得部２８７は、中継器２に設けられた操作部（不図示）において入力された終端器情報を取得してもよい。種別情報取得部２８７は、取得した終端器情報に基づく指示をモード切替部２６に入力する。
【００６３】
この場合、モード切替部２６は、種別情報取得部２８７が取得した終端器情報に基づいて、第１伝送用電源２４に第１電流を供給させるか、第２伝送用電源２５に第２電流を供給させるかを切り替える。モード切替部２６は、例えば、抵抗型終端器５ａが接続されていることを終端器情報が示している場合に第１伝送用電源２４に第１電流を供給させ、容量型終端器５ｂが接続されていることを終端器情報が示している場合には第２伝送用電源２５に第２電流を供給させる。このようにモード切替部２６が終端器情報に基づいて感知器４に供給する電流の容量を切り替えることで、中継器２は、データ誤り率を特定したり信号波形を特定したりすることなく、感知器４から受信する信号の品質を安定化させることができる。
【００６４】
［第２変形例］
以上の説明においては、信号線を介して火災感知器に接続される電子機器として、火災感知システムＳで用いられる中継器２を例示したが、電子機器は中継器２に限らない。火災感知システムＳにおける火災受信機１が、信号線を介して火災感知器に接続される電子機器としての機能し、火災受信機１に本発明を適用してもよい。
【００６５】
［第３変形例］
以上の説明においては、図２に示したように、接続確認信号、試験確認信号及び火災確認信号が伝送される期間が定められている場合を例示したが、中継器２と感知器４との間で信号が送受信される形式及びタイミングはこれに限らない。本発明は、中継器２と感知器４との間で各種の信号が伝送される期間が定められていない電子機器にも適用することができる。
【００６６】
［中継器２における効果］
以上説明したように、本実施形態の中継器２は、感知器４から受信する信号の種別に基づいて、第１伝送用電源２４から感知器４に電流を供給するか、第２伝送用電源２５から感知器４に電流を供給するかを切り替える。中継器２がこのように構成されていることで、感知器線Ｌ２に容量型終端器５ｂが接続されている場合、又は感知器線Ｌ２の線間容量が大きい場合に、容量型終端器５ｂが内蔵するコンデンサや線間容量の充電が早くなるので、矩形波の鈍化を抑制することができる。また、感知器線Ｌ２に抵抗型終端器５ａが接続されている場合に抵抗型終端器５ａの抵抗を流れる電流を抑制することができる。その結果、火災感知システムＳは、感知器線Ｌ２に抵抗型終端器５ａが接続されている場合に消費電流が増加してしまうことを防ぎつつ、感知器線Ｌ２に容量型終端器５ｂが接続されている場合にデータ誤りが発生する確率を低減することができる。
【００６７】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６８】
１  火災受信機
２  中継器
３  中継盤
４  感知器
５  終端器
２１  第１通信部
２２  第２通信部
２３  火災感知用電源
２４  第１伝送用電源
２５  第２伝送用電源
２６  モード切替部
２７  記憶部
２８  制御部
４１  通信部
４２  火災検出部
４３  記憶部
４４  制御部
２８１  タイミング生成部
２８２  指示処理部
２８３  接続確認処理部
２８４  試験処理部
２８５  火災確認処理部
２８６  伝送品質評価部
２８７  種別情報取得部
４４１  信号送受信部
４４２  タイミング生成部
【図１】
2020123279.tif 000003
【図２】
2020123279.tif 000004
【図３】
2020123279.tif 000005
【図４】
2020123279.tif 000006
【図５】
2020123279.tif 000007
【図６】
2020123279.tif 000008
【図７】
2020123279.tif 000009